(57)【要約】【課題】  使用済みコンドームの後始末が容易なコンドーム包装体を提供する。【解決手段】  合成樹脂フィルム１ａ，１ｂの間に収納されたコンドーム４の周囲をヒートシールすることにより、コンドームを密閉したコンドーム収納袋２と、コンドーム収納袋２に連設され、かつ周辺の一部に使用済みコンドーム４を収納するための開口部３ｂが形成された処理袋３と、処理袋３の開口部３ｂを開閉自在に密封する密封手段５とから構成したもので、  使用済みコンドーム４が簡単に処理できると共に、予め処理袋３を不透明な合成樹脂フィルム１ａ，１ｂにより形成しておけば、外から使用済みコンドーム４が見えることがないため、ゴミを処理する者等に与える不快感を削減できる上、処理袋３内より精液が漏れ出すことがないため、公衆衛生上も大変有益である。【選択図】図１
0003115599.tif 000002
【実用新案登録請求の範囲】
【請求項１】
合成樹脂フィルムの間に収納されたコンドームの周囲をヒートシールすることにより、前記コンドームを密閉したコンドーム収納袋と、前記コンドーム収納袋に連設され、かつ周辺の一部に使用済みコンドームを収納するための開口部が形成された処理袋と、前記処理袋の開口部を開閉自在に密封する密封手段とを具備したことを特徴とするコンドーム包装体。
【請求項２】
前記コンドーム収納袋及び前記処理袋を横方向に連続するように連設し、かつ連設部に前記コンドーム収納袋及び前記処理袋を切り離すための切断線を設けてなる請求項１に記載のコンドーム包装体。
【請求項３】
前記コンドーム収納袋と前記処理袋の間を、剥離自在な粘着面よりなる連結手段を介して連結してなる請求項１または２に記載のコンドーム包装体。
【請求項４】
前記密閉手段を、軟質な合成樹脂よりなり、かつ互いに係脱自在な雌雄ファスナーにより形成してなる請求項１または２に記載のコンドーム包装体。
【請求項５】
前記密閉手段を、剥離自在な粘着面により形成してなる請求項１または２に記載のコンドーム包装体。
【考案の詳細な説明】
【技術分野】
【０００１】
本考案は、使用済みコンドームの後始末が容易なコンドーム包装体に関する。
【背景技術】
【０００２】
従来避妊や性感染症の予防等に使用するコンドームは、合成樹脂フィルムをヒートシールすることにより形成された袋状の包装体内に収納されており、包装体を破断することにより簡単に包装体内から取り出せるようになっている。
またコンドームが収納された包装体は、長尺な２枚の合成樹脂フィルムの間に収納すべきコンドームを所定の間隔で介在させ、かつ合成樹脂フィルムを重ねた状態でコンドームの周囲をヒートシールすることにより、各合成樹脂フィルムの間に密閉された状態でコンドームが収納されるようになっており、１個づつ切り離して使用できるように、コンドームの周囲を熱溶着したヒートシール部には、予め切断線がミシン目等により形成されている（例えば特許文献１）。
以上のようにして量産されたコンドーム包装体は、適当な数、例えば１２個を単位に切断線より切り離されて、包装箱に収納した状態で販売されている。
【特許文献１】特開平５−６４６５０号公報
【考案の開示】
【考案が解決しようとする課題】
【０００３】
合成樹脂フィルムからなる包装体に収容されたコンドームは、包装体により保護されているため衛生的であり、また包装体を任意な個所から破断することにより、包装体よりコンドームが簡単に取り出せるが、使用済コンドームは、内部に精液が溜っているため、使用後廃棄する場合、コンドームの口部を結んだ状態でティッシュペーパー等に包んでゴミ箱等に捨てている。
しかし使用者の中には、使用済みコンドームをむき出しのままゴミ箱等に捨てたり、水洗トイレへ流したり、もしくは屋外へ投棄することがある。
このため当事者はもとより、ゴミ箱を清掃する者等、第三者にとって、むき出しのまま捨てられたコンドームは不衛生な上、不快感を抱く原因となる。
またむき出しのまま屋外へ投棄されたコンドームが学童等の目に触れた場合、教育上及び公衆衛生上よくないと共に、投棄後時間が経過すると、路面に漏れ出した精液が固化して、路面よりコンドームが容易にとれなくなるため、後始末に手間がかかる上、水洗トイレに流した場合、水洗トイレが詰まって使用できなくなる等の問題がある。
本考案はかかる問題を改善するためになされたもので、使用済みコンドームの後始末が容易なコンドーム包装体を提供することを目的とするものである。
【課題を解決するための手段】
【０００４】
本考案のコンドーム包装体は、合成樹脂フィルムの間に収納されたコンドームの周囲をヒートシールすることにより、コンドームを密閉したコンドーム収納袋と、コンドーム収納袋に連設され、かつ周辺の一部に使用済みコンドームを収納するための開口部が形成された処理袋と、処理袋の開口部を開閉自在に密封する密封手段とから構成したものである。
【０００５】
前記構成により、処理袋内に使用済みコンドームを収納し、開口部に設けられた密封手段により開口部を密封した後、処理袋ごとゴミ箱等へ捨てることにより、使用済みコンドームが簡単に処理できると共に、予め処理袋を不透明な合成樹脂フィルムにより形成しておけば、外から使用済みコンドームが見えることがないため、ゴミを処理する者等に与える不快感を削減できる上、処理袋内より精液が漏れ出すことがないため、公衆衛生上も大変有益である。
またゴミとして処理する際分別が簡素化できる上、水洗トイレに流したため、水洗トイレが詰まって使用できなくなる等の問題も解消することができる。
【０００６】
本考案のコンドーム包装体は、コンドーム収納袋及び処理袋を横方向に連続するように連設し、かつ連設部にコンドーム収納袋及び処理袋を切り離すための切断線を設けたものである。
【０００７】
前記構成により、適当な単位、例えば１２個毎に切断線より切り離して、処理袋とともに包装箱等に箱詰めすることにより、通常の流通ルートで販売が可能になると共に、使用時には、コンドーム収納袋とともに処理袋を切り離すことにより、従来のコンドームと何等変わりなく使用することができるため、後から処理袋を用意する等の面倒な手間を必要としない。
【０００８】
本考案のコンドーム包装体は、コンドーム収納袋と処理袋の間を、剥離自在な粘着面よりなる連結手段を介して連結したものである。
【０００９】
前記構成により、既存の自動包装機により連続的にコンドームを包装した後、別に製作した処理袋を連結手段を介して合体することができるため、専用の自動包装機を新たに製作する必要がないことから、経済的である。
【００１０】
本考案のコンドーム包装体は、密閉手段を、軟質な合成樹脂よりなり、かつ互いに係脱自在な雌雄ファスナーにより形成したものである。
【００１１】
前記構成により、開口部を密閉できる処理袋が安価に得られるため、処理袋を設けたことによるコンドームのコストアップを最小限に収めることができる。
【００１２】
本考案のコンドーム包装体は、密閉手段を、剥離自在な粘着面により形成したものである。
【００１３】
前記構成により、開口部を密閉できる処理袋が安価に得られるため、処理袋を設けたことによるコンドームのコストアップを最小限に収めることができる。
【考案の効果】
【００１４】
本考案のコンドーム包装体によれば、使用済みコンドームが簡単に処理できると共に、予め処理袋を不透明な合成樹脂フィルムにより形成しておけば、外から使用済みコンドームが見えることがないため、ゴミを処理する者等に与える不快感を削減できる上、処理袋内より精液が漏れ出すことがないため、公衆衛生上も大変有益である。
【考案を実施するための最良の形態】
【００１５】
本考案の実施の形態を、図面を参照して詳述する。
図１はコンドーム包装体の斜視図、図２は図１のＡ−Ａ線に沿う断面図、図３は使用済コンドームの後始末をする際の説明図である。
図１及び図２に示す包装体本体１は、長尺な２枚の熱可塑性合成樹脂フィルム１ａ、１ｂを重ねることにより形成されていて、長手方向に等間隔にコンドーム収納袋２が設けられており、各コンドーム収納袋２には、各コンドーム収納袋２毎に処理袋３が設けられている。
コンドーム収納袋２には、自動包装機（図示せず）によりコンドーム４を連続的に包装する際、コンドーム４が１個づつ収納されており、コンドーム収納袋２の周辺をヒートシールすることにより、２枚の合成樹脂フィルム１ａ、１ｂが互に熱溶着されていて、このヒートシール部２ａによりコンドーム収納袋２内が密閉されている。
各コンドーム収納袋２に隣接して設けられた処理袋３は、使用済みコンドーム４の後始末をする際、使用済みコンドーム４を収納するもので、コンドーム収納袋２とほぼ同大、もしくはこれよりやや大きく形成されており、コンドーム収納袋２との連設部３ａと反対側の縁部を除く３辺がヒートシールにより熱溶着されており、熱溶着されない一辺には開口部３ｂが形成されていて、この開口部３ｂより処理袋３内に使用済コンドームが収納できるようになっている。
【００１６】
そして処理袋３の開口部３ｂには、開口部３ｂを密封するための密封手段５が設けられている。
密封手段５は、図２に示すように軟質合成樹脂により形成された雌型ファスナー５ａと雄型ファスナー５ｂとからなる。
雌型ファスナー５ａ及び雄型ファスナー５ｂは、処理袋３の開口３ｂを形成する合成樹脂フィルム１ａ、１ｂの内側に、開口縁と平行するよう熱溶着されており、平時は雌型ファスナー５ａと雄型ファスナー５ｂは図２に示すように互に係合状態にあり、処理袋３の開口縁を押し開くことにより、雌雄型ファスナー５ａ、５ｂの係合が外れて、開口部３ｂが開口できるようになっている。
【００１７】
一方包装体本体１を形成する合成樹脂フィルム１ａ、１ｂは、少なくとも処理袋３側が不透明な合成樹脂フィルムにより形成されていて、使用済みコンドーム４を収納した際、外から見えないようになっている。
合成樹脂フィルム１ａ、１ｂの表面には、意匠的な装飾効果を高めるため模様等が印刷等の手段で表示されており、処理袋３側には、使用済みコンドーム４を後始末するために収納する処理袋３であることが容易に理解できるように、文字や絵等で使用方法が表示されている。
【００１８】
またコンドーム４を使用する際、１個づつ切り離して使用できるように、各コンドーム収納袋２の間を熱溶着しているヒートシール部２ａと、各処理袋３の間を熱溶着するヒートシール部３ｂの間及び、コンドーム収納袋２と処理袋３の間の連設部３ａには、例えばミシン目よりなる切断線６が予め形成されている。
これによってコンドーム収納袋２と処理袋３を連設した状態で、コンドーム収納袋２及び収納袋３を切断線６より１個づつ切り離せるようになっており、必要に応じてコンドーム収納袋２と処理袋３を切断線６よりさらに切り離せるようになっている。
なお合成樹脂フィルム１ａ、１ｂの内面に銀色塗料を蒸着して、遮光性を向上させたり、外部から使用済みコンドーム４がさらに見え難くしてもよく、また処理袋３側内面に抗菌処理を施して衛生効果を高めるようにしてもよい。
【００１９】
次に前記構成されたコンドーム包装体の作用を説明する。
自動包装機により連続的に包装されたコンドーム４は、適当な単位、例えば１２個毎に切断線６より切り離され、処理袋３とともに包装箱（図示せず）等に箱詰めされて、通常の流通ルートで販売されることになる。
【００２０】
一方使用済みコンドーム４の後始末をする場合は、使用後コンドーム４の口部を結んで精液が漏れないようにしたら、処理袋３の開口部３ｂを開放して、処理袋３内に使用済みコンドーム４を図３に示すように収納する。
その後開口部３ｂに設けられた密封手段５により開口部３ｂを密封したら、処理袋３ごとゴミ箱等へ捨てればよく、不透明は処理袋３により外から使用済みコンドーム４が見えることがないため、ゴミを処理する者等に与える不快感を削減できる上、処理袋３内より精液が漏れ出すことがないため、公衆衛生上も大変有益である。
【００２１】
なお、前記実施の形態では、コンドーム収納袋２と処理袋３を一体に形成し、切断線６より任意に切り離せるようにしたが、図４及び図５に示す変形例のように、コンドーム収納袋２と処理袋３を別体に形成して、連結手段７で連結一体化するようにしてもよい。
連結手段７としては、例えば剥離自在な粘着面７ａをコンドーム収納袋２と処理袋３の連結部３ａに予め形成しておき、製作後図５に示すように、コンドーム収納袋２の連設部３ａに形成した粘着面７ａに処理袋３側の連設部３ａを接着して、コンドーム収納袋２と処理袋３を一体化すればよい。
【００２２】
この変形例の場合には、密封手段５に雌雄ファスナー５ａ、５ｂに代えて粘着シール５ｃを採用してもよい。
すなわち処理袋３の開口部３ｂに、粘着面５ｃを有する舌片状の粘着シール５ｄを形成しておき、平時はこの粘着シール５ｄを開口部３ｂを塞ぐように合成樹脂フィルム１ａ上に接着しておく。
そして使用済コンドーム４を処理袋３内に収納する際、粘着シール５ｄを剥離して開口部３ｂを開放するもので、使用済コンドーム４の収納後は、再び粘着シール５ｄを元の位置に接着することにより開口部３ｂを密封することができるため、前記実施の形態と同様な作用効果が得られるようになる。
【図面の簡単な説明】
【００２３】
【図１】本考案の実施の形態になるコンドーム包装体の斜視図である。
【図２】図１のＡ−Ａ線に沿う断面図である。
【図３】本考案の実施の形態になるコンドーム包装体の使用状態を示す説明図である。
【図４】本考案の実施の形態になるコンドーム包装体の変形例を示す斜視図である。
【図５】図４のＢ−Ｂ線に沿う断面図である。
【符号の説明】
【００２４】
１      包装体本体
１ａ    合成樹脂フィルム
１ｂ    合成樹脂フィルム
２      コンドーム収納袋
３      処理袋
３ａ    開口部
４      コンドーム
５      密閉手段
５ａ    雌ファスナー
５ｂ    雄ファスナー
６      切断線
７      密閉手段
７ａ    粘着面              
【図１】
0003115599.tif 000003
【図２】
0003115599.tif 000004
【図３】
0003115599.tif 000005
【図４】
0003115599.tif 000006
【図５】
0003115599.tif 000007